(57)【要約】【課題】姿勢矯正を効果的に行うことのできるエアーバック付き姿勢矯正装置を提供する。【解決手段】被服体１００の背部１とベルト部３にそれぞれエアーバック７，９を配置したことで、ユーザの背中と腰の２箇所を同時に押圧することができ、背筋を十分に伸ばし、背骨全体の矯正を効果的に行うことが可能になる。また、被服体１００の背部１とベルト部３に矯正板１５、１７を入れて、エアーバック７，９の外側の膨縮面７ｂ、９ｂを矯正板１５、１７で全体的に押さえることによって、エアーバック７，９の押圧力を身体を押圧する方向に集中させることができ、十分な押圧力が得られる。【選択図】      図４
2004305326.tif 000002
【特許請求の範囲】
【請求項１】
上半身に装着可能な被服体と、
この被服体の背中の部分に対応する第１の部位および腰の部分に対応する第２の部位にそれぞれ配置された複数のエアーバックと、
前記各エアーバックを膨縮する給排気機構と
を具備することを特徴とするエアーバック付き姿勢矯正装置。
【請求項２】
前記エアーバックが身体を押圧する側の第１の膨縮面とその逆側である第２の膨縮面とを有し、前記被服体の第１の部位および／または第２の部位に着脱可能な、前記エアーバックの前記第２の膨縮面を押える矯正板をさらに有することを特徴とする請求項１に記載のエアーバック付き姿勢矯正装置。
【請求項３】
前記被服体の前記第１の部位および／または前記第２の部位の身体側の面に着脱可能な、つぼ刺激のためのアタッチメントをさらに有することを特徴とする請求項１または２に記載のエアーバック付き姿勢矯正装置。
【請求項４】
前記つぼ刺激のためのアタッチメントを着脱可能な前記被服体の前記第１の部位および／または前記第２の部位の身体側の面が、前記アタッチメントの装着位置をユーザが任意に調整し得るように一様な接着面を構成していることを特徴とする請求項３に記載のエアーバック付き姿勢矯正装置。
【発明の詳細な説明】
【０００１】
【発明の属する技術分野】
本発明は、エアーバックによる押圧力を用いて姿勢矯正のためのトリートメントを行うエアーバック付き姿勢矯正装置に関する。
【０００２】
【従来の技術】
悪い姿勢をとったままでいると背骨のゆがみをもたらし、背骨のゆがみは、たとえば肩こり、頭痛、腰痛の原因になるばかりか、内臓機能や基礎代謝の低下の原因ともなり得る。姿勢の矯正にはサポータやベルトなどが利用されることが多い。特に、姿勢矯正用のサポータ（たとえば特許文献１を参照）や、ベルト（たとえば特許文献２を参照）などがある。なかでも、特許文献２に記載のベルトは、エアーバックによりソフトな圧力を背中に加えることによって、姿勢矯正のためのトリートメントを行うものである。
【０００３】
【特許文献１】
特開２００２−２２４１５０号公報
【特許文献２】
実開平６−７４１１７号公報
【０００４】
【発明が解決しようとする課題】
しかしなから、背中のみの押圧では、背筋が十分に伸びず、十分な姿勢矯正の効果が期待できない、という懸念がある。また、エアーバックはその表裏両面が膨縮するので、全体の押圧力が表裏両面方向に分散し、姿勢矯正のための十分な押圧力が得られないおそれがあった。
本発明はこのような課題を解決するためのもので、姿勢矯正を効果的に行うことのできるエアーバック付き姿勢矯正装置の提供を目的とする。
【０００５】
【課題を解決するための手段】
上記の目的を達成するために、本発明のエアーバック付き姿勢矯正装置は、上半身に装着可能な被服体と、この被服体の背中の部分に対応する第１の部位および腰の部分に対応する第２の部位にそれぞれ配置された複数のエアーバックと、前記各エアーバックを膨縮する給排気機構とを具備するものである。
【０００６】
この発明によれば、被服体の背中の部分に対応する第１の部位と腰の部分に対応する第２の部位にそれぞれ配置されたエアーバックによって、ユーザの背中と腰の２箇所を同時に押圧することによって、背筋を十分に伸ばすことができ、背骨全体の矯正を効果的に行うことが可能になる。
【０００７】
また好ましくは、本発明は、前記エアーバックが身体を押圧する側の第１の膨縮面とその逆側である第２の膨縮面とを有し、前記被服体の第１の部位および／または第２の部位に着脱可能な、前記エアーバックの前記第２の膨縮面を押える矯正板をさらに有するものである。
【０００８】
この発明によれば、エアーバックの第２の膨縮面が矯正板によって押えられることで、エアーバックの押圧力を身体を押圧する方向に集中させることができ、姿勢矯正トリートメントのための十分な押圧力が得られる。
【０００９】
さらに好ましくは、本発明は、前記被服体の前記第１の部位および／または前記第２の部位の身体側の面に着脱可能な、つぼ刺激のためのアタッチメントをさらに有するものであってよい。
【００１０】
この発明によれば、エアー押圧による姿勢矯正トリートメントと同時につぼ刺激によるマッサージを行うことができる。
【００１１】
さらに好ましくは、本発明は、前記つぼ刺激のためのアタッチメントを着脱可能な前記被服体の前記第１の部位および／または前記第２の部位の身体側の面が、前記アタッチメントの装着位置をユーザが任意に調整し得るように一様な接着面を構成していることを特徴とする。この発明によれば、つぼ刺激のためのアタッチメントをユーザにとって好ましい位置に簡単に装着することができる。
【００１２】
【発明の実施の形態】
以下、本発明の実施の形態を図面に基づき説明する。
図１は本発明にかかる実施形態であるエアーバック付き姿勢矯正装置の全体の構成を示す図である。
【００１３】
同図に示すように、このエアーバック付き姿勢矯正装置は、ユーザの上半身に装着可能なベストをかたどった被服体１００と、コントローラ２００とで構成される。コントローラ２００と被服体１００とはエアーチューブ３００を通じて接続されている。
【００１４】
図２は図１の被服体１００の外側面を示す図、図３は図１の被服体１００の内側面を示す図、図４は被服体１００の側面断面図、図５は被服体１００を装着したユーザを背後から示す図である。
【００１５】
これらの図に示すように、被服体１００は、ユーザの上半身に装着されたときにユーザの背中の部分に対応する背部１と、腰の部分に対応するベルト部３と、左右の肩掛け部５とで全体が構成される。
【００１６】
被服体１００の背部１にはエアーバック７が設けられている。より詳細には、エアーバック７は、被服体１００を装着したユーザの背骨の中心線２（図５を参照）上に位置することになるように、被服体１００の背部１に配置されている。同様に、被服体１００のベルト部３にも、エアーバック９が被服体１００を装着したユーザの背骨の中心線２上に位置することになるように配置されている。各エアーバック７、９はそれぞれ、身体に押圧を加える側つまり内側の膨縮面７ａ、９ａと、その逆側である外側の膨縮面７ｂ、９ｂとを有している。
【００１７】
各エアーバック７、９にはチューブ差し込み口１１、１３が設けられており、これらのチューブ差し込み口１１、１３には、一端がコントローラ２００のエアー吹き出し口に接続可能なエアーチューブ３００の他端の接続が可能となっている。
【００１８】
また、被服体１００の背部１には、エアーバック７の外側の膨縮面７ｂを押えるための矯正板１５を挿抜自在に収納する矯正板収納部２１が設けられており、この矯正板収納部２１の一部たとえば上端は矯正板１５を挿抜可能なように開口（符号２３に示す。）させてある。
【００１９】
同様に、被服体１００のベルト部３にも、エアーバック９の外側の膨縮面９ｂを押えるための矯正板１７を挿抜自在に収納する矯正板収納部２５が設けられており、この矯正板収納部２５の一部たとえば上端は矯正板１７を挿抜可能なように開口（符号２７に示す。）させてある。各開口２３、２７は開閉自在な構造であっても当然構わない。
【００２０】
矯正板１５は、エアーバック７の外側の膨縮面７ｂと全体的に重なり合うような形状・サイズを有し、かつ軽量でありながら、姿勢矯正時にエアーバック７の外側の膨縮面７ｂから受ける押圧に対して反りなどの変形を発生しない程度の剛性・強度を有していることが要求される。矯正板１７についても同様である。
【００２１】
さらに、被服体１００の背部１とベルト部３の内側には、つぼ刺激用の一つ以上のアタッチメント２９の着脱が可能なアタッチメント取り付けシート３１が縫い付けられている。すなわち、個々のアタッチメント２９の後端面とアタッチメント取り付けシート３１の表面にはそれぞれ面ファスナーなどの着脱自在な接着構造（図示省略）が設けられている。すなわち、アタッチメント２９はアタッチメント取り付けシート３１上のどの位置にも装着できるようになっている。したがって、ユーザは、刺激したいつぼの位置に合わせてアタッチメント２９をアタッチメント取り付けシート３１に装着することができる。
【００２２】
一方、被服体１００の左右の肩掛け部５には、長さ調節のためのアジャスター３３、３５が付いた肩ひも３７、３９の一端が固定されている。肩ひも３７、３９の他端は被服体１００の背部１とベルト部３とのほぼ境目部分に固定されている。すなわち、肩ひも３７、３９は、アジャスター３３、３５によってユーザが好みの長さに調整することが可能となっている。
【００２３】
また、被服体１００のベルト部３の外側と内側の各面には、ベルト部３をユーザの腰の回りに巻き付けて固定するための面ファスナー４１、４３が設けられている。また、被服体１００に設けられた２つのエアーバック７、９の押圧力が身体に十分な負荷となって加わるように、被服体１００は伸びにくい素材で作製されていることが好ましい。
【００２４】
次に、コントローラ２００の構成を説明する。
図６は、このコントローラ２００の詳細を示す図である。同図に示すように、このコントローラ２００の本体５１の一主面には操作パネル５３が設けられている。また、本体５１の一側面には電源のオン／オフを切り替えるスイッチである電源ダイヤル５５が設けられている。電源ダイヤル５５は回転量に応じて電源のオン／オフを切り替えるものである。
【００２５】
操作パネル５３には、エアーバックの動作（姿勢矯正）のスタート／ストップを切り替えるスタート／ストップボタン５７と、モードを切り替えるためのモード切替ボタン５９と、電源オン／オフの状態を表示する電源ランプ６１と、現在選択中のモード状態を発光色の種類で表示するモード表示ランプ６３とが設けられている。
【００２６】
モードの種類には、たとえばストレッチ、リフレッシュ、フリーなどがある。ストレッチは背骨の関節を柔軟にすることを目的とするもので、リフレッシュはリフレッシュ効果を目的とするものである。これらストレッチとリフレッシュは、それぞれエアーバック７、９の、エアー排出→エアー供給→ホールドのサイクルを繰り返すモードである。ストレッチモードでは、たとえば、４秒間のエアー排出→１３秒間のエアー供給→２秒間のホールドが一つのサイクルとして繰り返される。リフレッシュモードはリフレッシュ効果を期待するものであるため、そのサイクルはストレッチモードに比べ低速であることが望ましい。たとえば、１０秒間のエアー排出→２４秒間のエアー供給→１０秒間のホールドといったサイクルが一例として挙げられる。フリーモードは、その名前が示す通り、エアー供給とエアー排出を、スタート／ストップボタン５７とモード切替ボタン５９をそれぞれエアー供給ボタンとエアー排出ボタンとして用いて、手動により切り替えて行うことのできるモードである。
【００２７】
図７は、コントローラ２００の内部の電気的な構成を示すブロック図である。同図に示すように、コントローラ２００には、このエアーバック付き姿勢矯正装置を動作させるためのプログラムやデータを固定的に格納したＲＯＭ６５と、このＲＯＭ６５に格納されたプログラムおよびデータを用いて各種の演算処理や制御を行うＣＰＵ６７と、ＣＰＵ６７のワーキングエリアとして用いられる主メモリ６９と、商用交流電源からコントローラ２００で使われる直流電源を生成する電源回路７４と、ＣＰＵ６７と操作パネル５３との信号の入出力を制御する操作パネルインタフェース７６と、エアーポンプ７８と、このエアーポンプ７８の動作のオン／オフやバルブの開閉などの制御をＣＰＵ６７からの制御信号により行うエアーポンプインタフェース８０とで構成される。
【００２８】
次に、このエアーバック付き姿勢矯正装置をフリーモードで使用する場合の動作を説明する。
【００２９】
ユーザは、被服体１００を装着した後、コントローラ２００の操作パネル５３に設けられた電源ダイヤル５５を指などで回すことによって電源をオンにする。電源がオンになったことは電源ランプ６１の点灯によりユーザが確認することができる。
【００３０】
続いて、ユーザは操作パネル５３のモード切替ボタン５９を一回以上押すことによってモードの選択を行う。ここで、モード切替ボタン５９が一回押されるごとに、モード表示ランプ６３の色がたとえば緑、橙、赤の順に切り替わり、この色の変化によってユーザは選択状態にあるモードの種類を確認できるものとなっている。具体的には、緑はストレッチモード、橙はリフレッシュモード、赤はフリーモードである。
【００３１】
ユーザは、モード表示ランプ６３の色が赤になるまでモード切替ボタン５９を押し続けてフリーモードを設定し、スタート／ストップボタン５７を押すことによって、ＣＰＵ６７はエアーポンプ７８の駆動を開始するようにエアーポンプインタフェース８０に制御信号を送る。続いてスタート／ストップボタン５７が押されると、ＣＰＵ６７はエアーポンプ７８のバルブを開状態とし、各エアーバック７、９にエアーを供給することで各エアーバック７、９を徐々に膨張させて行く。この後、再度スタート／ストップボタン５７が押されると、ＣＰＵ６７はエアーポンプ７８のバルブを閉じて一定の膨張状態をホールドする。その後、モード切替ボタン５９が押されると、ＣＰＵ６７はエアーポンプ７８のバルブを開状態とし、各エアーバック７、９からのエアー排出を開始することによって、各エアーバック７、９が徐々に収縮して行く。このようにしてユーザは、好みの押圧力と押圧時間を選択しつつ姿勢矯正のためのトリートメントを受けることができる。
【００３２】
ストレッチモードとリフレッシュモードでは、ＲＯＭ６５に格納されている時間のパラメータに基づいて、エアー供給、ホールド、エアー排出がサイクリックに実行される。
【００３３】
以上説明した本実施形態のエアーバック付き姿勢矯正装置によれば、被服体１００の背部１とベルト部３にそれぞれ配置されたエアーバック７，９によって、ユーザの背中と腰の２箇所を同時に押圧することによって、背筋を十分に伸ばし、背骨全体の矯正を効果的に行うことが可能になる。
【００３４】
また、被服体１００の矯正板収納部２１および矯正板収納部２５に矯正板１５、１７を入れて、エアーバック７，９の外側の膨縮面７ｂ、９ｂを矯正板１５、１７で全体的に押さえることによって、エアーバック７，９の押圧力を身体を押圧する方向に集中させることができ、十分な押圧力が得られる。
【００３５】
さらに、この実施形態のエアーバック付き姿勢矯正装置によれば、つぼ刺激用のアタッチメント２９を被服体１００の背部１とベルト部３の内側にそれぞれ取り付けることができ、エアー押圧による姿勢矯正と同時につぼ刺激によるマッサージを行うことができる。
【００３６】
さらに、この実施形態のエアーバック付き姿勢矯正装置によれば、押圧力や押圧時間をユーザ自身がマニュアルで指定することのできるフリーモードが用意されているので、個々のユーザにとって適切な押圧力、押圧時間での姿勢矯正が可能となる。
【００３７】
本発明は、上述の実施形態にのみ限定されるものではなく、本発明の要旨を逸脱しない範囲内において種々変更を加え得ることは勿論である。
【００３８】
たとえば、上記実施形態では、背部１とベルト部３の各エアーバック７、９を同時に膨張収縮させるように動作させることとしたが、ユーザの選択により一方のエアーバックを適宜選択して膨縮させてもよい。これにより、矯正対象を背中か腰のいずれか一方に絞り込むことができる。
【００３９】
また、個々のエアーバック７、９ごとに独立した給排気制御系統を設けておき、個々のエアーバック７、９を別々のタイミンクで膨張収縮させるようにしてもよい。具体的には、背部１のエアーバック７とベルト部３の各エアーバック９とを交互に膨張させるといった方法がある。これにより、同時に２つのエアーバック７、９を膨縮させる方法に比べ、ソフトな姿勢矯正トリートメントを実現することが可能となる。
【００４０】
さらに、ストレッチモードとリフレッシュモードのエアー供給、ホールド、エアー排出の時間はそれぞれのモードにおいて規定される範囲内でユーザが自由に設定できるようにしてよく、また、設定内容を不揮発性メモリに登録して次回以後の姿勢矯正トリートメントに利用できるようにしてもよい。
【００４１】
【発明の効果】
以上、説明したように本発明のエアーバック付き姿勢矯正装置によれば、背骨全体の矯正を効果的かつ安全に行うことが可能になる。また、姿勢矯正と同時につぼ刺激によるマッサージを行うことができる。
【図面の簡単な説明】
【図１】本発明にかかる実施形態であるエアーバック付き姿勢矯正装置の全体の構成を示す図である。
【図２】図１の被服体の外側面を示す図である。
【図３】同じくその被服体の内側面を示す図である。
【図４】同じくその被服体の側面断面図である。
【図５】同じくその被服体を装着したユーザを背後から示す図である。
【図６】図１のコントローラの詳細を示す図である。
【図７】図１のコントローラの内部の電気的な構成を示すブロック図である。
【符号の説明】
１・・・・背部
３・・・・ベルト部
５・・・・肩掛け部
７、９・・・・エアーバック
１５、１７・・・・矯正板
２１、２５・・・・矯正板収納部
２９・・・・アタッチメント
３１・・・・アタッチメント取り付けシート
３３、３５・・・・アジャスター
３７、３９・・・・肩ひも
５３・・・・操作パネル
５５・・・・電源ダイヤル
５７・・・・スタート／ストップボタン
５９・・・・モード切替ボタン
６３・・・・モード表示ランプ
６５・・・・ＲＯＭ
６７・・・・ＣＰＵ
６９・・・・主メモリ
７８・・・・エアーポンプ
１００・・・・被服体
２００・・・・コントローラ
３００・・・・エアーチューブ
【図１】
2004305326.tif 000003
【図２】
2004305326.tif 000004
【図３】
2004305326.tif 000005
【図４】
2004305326.tif 000006
【図５】
2004305326.tif 000007
【図６】
2004305326.tif 000008
【図７】
2004305326.tif 000009